(57)【特許請求の範囲】
【請求項１】
熱交換器を通過する空気の塵埃を除去するエアーフィルターと、前記エアーフィルターに沿って駆動可能な吸引ノズルと、前記吸引ノズルに連結された吸引装置により構成されるフィルター装置を具備した空気調和機において、３０分以上経過する空気調和機運転が行われない短時間運転が繰り返され、空気調和機の掃除無し短時間累積時間が２４時間を経過した場合の清掃運転の実施タイミングとして、運転開始１０分以降と限定したことを特徴とした空気調和機のフィルター自動清掃装置。
【請求項２】
前記フィルター装置において、３０分以上経過する空気調和機運転が行われない短時間運転が繰り返され、空気調和機の掃除無し短時間累積時間が２４時間を経過した場合の清掃運転の実施タイミングとして、室温がリモコン設定温度に到達以降と限定したことを特徴とする請求項１記載の空気調和機のフィルター自動清掃装置。
【請求項３】
前記フィルター装置において、３０分以上経過する空気調和機運転が行われない短時間運転が繰り返され、空気調和機の掃除無し短時間累積時間が２４時間を経過した場合の清掃運転の実施タイミングとして、掃除運転が動作しない時間が累積２４時間以上経過後の停止のタイミングとすることを特徴とする請求項１記載の空気調和機のフィルター自動清掃装置。
【発明の詳細な説明】
【技術分野】
【０００１】
本発明は、フィルターの清掃を自動的に行うようにした空気調和機のフィルター自動清掃装置に関するものである。
【背景技術】
【０００２】
従来の空気調和機のフィルター装置は、熱交換器の前面に、空気調和機の本体内部へ埃が侵入することを防ぐためのエアーフィルターが設けられており、このエアーフィルターは付着した塵埃を手で清掃できるように着脱自在に構成されている。こうした構成でのフィルター装置は頻繁なメンテナンスが必要となるだけでなく、メンテナンスが行われるまでの間にはエアーフィルターが徐々に目詰まりしていき、その結果、熱交換器を通過する風量が低下して空調能力が低下して消費電力の増大につながることとなる。
【０００３】
このため、フィルターのメンテナンスの手間を低減する目的に、そのフィルターの上を自走する自動清掃装置が設けられ、それが複数回往復することで、フィルター全面の清掃を実施する。こういった構成のもと、一日に一度エアコンの運転停止の際に決められた往復回数を、エアーフィルター上を自走し、そこに付着している塵埃を清掃し、複数回にわけてフィルター全面を清掃する制御装置が提案されている（例えば、特許文献１参照）。
【０００４】
次に、従来のアルゴリズムを図４のフローチャートを例に説明する。
【０００５】
通常運転が行われている状態に対し、リモコンより４０３エアコン停止信号が発信されると、ファン及び圧縮機が停止される。その時点で４０４の前回のフィルター清掃からの経過時間の計時手段及び４０５の運転開始からの計時手段により、前回フィルター清掃が実施されてから２４時間以上経過し、かつエアコンが３０分以上運転されているとフィルター清掃モード４０６に移行し、吸引ノズルが移動する。そして４０７にて吸引ノズルが所定の２往復動作を終了すると、フィルター清掃は終了し、エアコンは全て停止する。また３０分未満の運転が繰り返された場合は、掃除無しの短時間累積の計時手段４０２にてその運転時間の累積が２４時間以上経過した時点で運転中であってもその運転を停止させ、フィルター清掃モード４１１に移行し、清掃動作を実施する。そしてフィルター清掃終了後に、４１４の再度通常の運転に戻るものであった。
【特許文献１】特開２００４−３６０９９５号公報
【発明の開示】
【発明が解決しようとする課題】
【０００６】
しかしながら上記従来技術では、短時間の運転が繰り返された場合は通常の運転中にエアコンが勝手に運転を停止してしまう為に、本来のエアコンの最優先させなければいけない機能である冷やす暖めるというものを損なう恐れがあった。
【課題を解決するための手段】
【０００７】
前記従来の課題を解決するために、本発明の空気調和機のフィルター自動清掃装置は、熱交換器を通過する空気の塵埃を除去するエアーフィルターと、前記エアーフィルターに沿って駆動可能な吸引ノズルと、前記吸引ノズルに連結された吸引装置により構成されるフィルター装置を具備した空気調和機において、３０分以上経過する空気調和機運転が行われない短時間運転が繰り返され、空気調和機の掃除無し短時間累積時間が２４時間を経過した場合の清掃運転の実施タイミングとして、運転開始１０分以降と限定したもので、この構成を成すことにより最適なタイミングで清掃動作を実施することが出来る。
【発明の効果】
【０００８】
本発明の空気調和機は、短時間の運転の繰り返しでもエアコンの持つ機能を優先すべく、最適なタイミングで清掃動作を実施することが出来る。
【発明を実施するための最良の形態】
【０００９】
以下、本発明の実施の形態について図面を参照して説明する。なお、この実施の形態によって本発明が限定されるものではない。
【００１０】
図５は、本発明の実施の形態における空気調和機のエアーフィルター清掃機構を示した図である。この図において熱交換器を通過する空気の塵埃を除去するエアーフィルターは、フィルター枠５０１と、フィルター網５０２から構成され、そのエアーフィルターの表面に沿って移動可能な吸引ノズル５０３が設けられる。吸引ノズル５０３は、エアーフィルターと一定の距離を保って円滑に移動することができる。吸引ノズル５０３は吸引装置５０４に連結されており、エアーフィルター上に付着した塵埃は吸引ノズル９０３より吸引される。また吸引ノズルの動作としては一例として左右方向に動作され、その往復動作は５０５のリミットＳＷのＯＮ／ＯＦＦにて確認され、動作方向の切換えが実施される。また、図６はエアコン本体でのエアーフィルター清掃機構の構成を示したものである。エアコン本体の熱交換器６０２の風上側にエアーフィルター枠６０１が構成されている。通常の使用ではファン６０３が運転されることで、風が生じ熱交換が行われる。そしてその風上のエアーフィルターにて埃塵が除去され、フィルター上に蓄積される。また６０４は自動可能な上下羽根であり、６０５は可動パネルを示している。
【００１１】
（実施の形態１）
図１は、本発明の第１の実施の形態におけるフローチャートである。
図１において１０３はリモコンによる本体停止の手段であり、これに基づき室内外のファン、圧縮機が停止する。そしてその時点での前回フィルター清掃から計時手段１０４と運転開始時からの計時手段１０５の条件成立時には前述の従来技術に従って清掃運転が実施され、その後エアコン本体は停止する。
【００１２】
その際、運転開始からの計時手段１０５が成立しない運転、すなわち図１のフローチャートの１０５に記載したように「エアコン（空気調和機）運転３０分以上経過」が成立しない運転が繰り返された場合に備え、１０２の掃除無しの運転の累積手段にてその時間が累積され、その掃除無しの短時間の累積時間が２４時間経過し、かつ運転開始からの時間の計時手段１１０にて１０分以上経過していることを確認できれば、１１２にて清掃動作を実施する。そして清掃終了後は１１５の通常のエアコンの運転へと復帰するものである。
【００１３】
つまり、運転中に停止させて清掃モードに入れる場合は、エアコン運転開始後１０分以降に限定することで、ある程度室温が低下（上昇）しており、エアコンを停止させることでのお客様のご不満を低減できるものである。
【００１４】
（実施の形態２）
図２は、本発明の第２の実施の形態におけるフローチャートである。
【００１５】
図２において２１０はリモコン設置温度と部屋の温度とを比較する手段であり、室温がリモコン設定温度にし、かつ２０２の掃除無しの運転の累積手段にてその時間が累積され、２４時間経過していることを確認できれば、２１２にて清掃動作を実施する。そして清掃終了後は２１５の通常のエアコンの運転へと復帰するものである。
【００１６】
つまり、運転中に停止させて清掃モードに入れる場合は、お客様の設定温度に室温が到達していることと限定することで、一旦は狙いの温度に到達し体感頂いた事で、エアコンを停止させることでのお客様のご不満を低減できるものである。
【００１７】
図３は、本発明の第３の実施の形態におけるフローチャートである。
図３おいて３０３は掃除無しの運転時間の累積手段であり、エアコン停止時にその条件が成立していれば、３０４の前回フィルター清掃からの計時手段にて２４時間経過していなくとも、また３０５のエアコン運転開始からの計時手段にて３０分以上経過していなくて
も清掃動作を実施するものである。
【００１８】
つまり、運転開始から短時間しか経過していない場合は、清掃モードに入れなくし、２４時間経過後の次の停止のタイミングで清掃動作を入れることで部屋が狙いの温度にいていない状態で清掃動作に入るというお客様のご不満を解消できるものである。
【産業上の利用可能性】
【００１９】
以上のように、本発明にかかる空気調和機は、定期的なメンテナンスを要せず、容易にエアーフィルターの清掃を行う際に、埃の量に合致した清掃回数を実施することでその効果を最大限のものとすると共に、種々の空気調和機に適用できる。
【図面の簡単な説明】
【００２０】
【図１】本発明の第１の実施の形態におけるフローチャート
【図２】本発明の第２の実施の形態におけるフローチャート
【図３】本発明の第３の実施の形態におけるフローチャート
【図４】従来例におけるフローチャート
【図５】空気調和機のフィルター清掃機構図
【図６】フィルター清掃機構の構成図
【符号の説明】
【００２１】
５０１  フィルター枠
５０２  フィルター網
５０３  吸引ノズル
５０４  吸引装置
５０５  リミットＳＷ
６０１  フィルター枠
６０２  熱交換器
６０３  ファン
６０４  上下羽根
６０５  可動パネル
【図１】
0004752463.tif 000002
【図２】
0004752463.tif 000003
【図３】
0004752463.tif 000004
【図４】
0004752463.tif 000005
【図５】
0004752463.tif 000006
【図６】
0004752463.tif 000007